(57)【要約】      （修正有）【課題】耐風圧性の有るケーブル支持装置を得られる。【解決手段】電柱間に張架した支持線２に組付けて前記支持線２に沿わせてケーブル３を吊り下げるために用いる螺旋状支治具１であって、内側輪郭形が楕円形等の最長径の有る線対称形を成すものとする。【選択図】図２
2007049846.tif 000002
【特許請求の範囲】
【請求項１】
電柱間に張架した支持線に組付けて前記支持線に沿わせてケーブルを吊り下げるために用いるものであって、内側輪郭形が対称軸上を最長径部とする線対称形を成し、かつ、両端を互いに前記線対称形の対称位置に配した、ケーブル吊り下げ用螺旋状支持具。
【発明の詳細な説明】
【技術分野】
【０００１】
本発明はケーブルを支持線（メッセンジャーワイヤー）に吊り下げるために用いるケーブル吊り下げ用螺旋状支持具に関するものである。
【背景技術】
【０００２】
電柱間に張架した支持線に組付けて、支持線に沿わせてケーブルを吊り下げるために用いるケーブル吊り下げ用螺旋状支持具は公知である（例えば、特許文献１）。
【０００３】
【特許文献１】特開平９−７０１２８号公報
【発明の開示】
【発明が解決しようとする課題】
【０００４】
前記従来例は、螺旋形の内側輪郭形が所謂円（形）を成す（厳密な意味では幾何学的な円に近似したものではあるが）ため、複数本のケーブルを吊り下げ支持しているケーブル張架状態時に風圧が作用すると、図４で示すように内側輪郭形が円形の当該支持具で支持した各ケーブルは、支持線から離開しようとし、その結果、支持線の内側輪郭形である円形に沿って並び勝ちとなる（試験で確認した）。
【０００５】
このため、風圧を受ける面積すなわち当該ケーブルの支持装置として風圧を受ける面積が増大し、その風圧が支持具を介して支持線に作用し、その結果、支持線を張架した柱にかかる荷重が大きくなり弛支線が必要になり、当該ケーブル支持装置全体がコスト高となる等の弊害が生じる。
【０００６】
本発明は、これまで内側輪郭形が円形であるものとされてきたケーブル吊り下げ用螺旋状支持具の内側輪郭形状に着目してより低廉なケーブル支持装置を提供すべく創案したものである。
【課題を解決するための手段】
【０００７】
電柱間に張架した支持線に組付けて前記支持線に沿わせてケーブルを吊り下げるために用いるものであって、内側輪郭形が対称軸上を最長径部とする線対称形を成し、かつ、両端を互いに前記線対称形の対称位置に配した構成とするのである。
【発明の効果】
【０００８】
本発明によれば、螺旋支持具の、対称軸上を最長径部とする線対称形態により最長径部の一端（対称軸上の一端）において支持線に常時支持されることになるから、当該支持装置に風圧が作用すると、該支持具で支持した複数本のケーブルは、風の負荷方向に対して重なり合い、その重なり合う分、風圧の影響力を低減でき、その結果、従来例と較べ耐風圧性の有るケーブル装置を得ることができる。
【０００９】
また、線対称形の対称位置に配した端部を適用した前段又は後段との接続部は必然的に支持線と重なり合うことがなく、従って、支持線に沿って接続しつつ送り出す電柱間の支持具設置作業も支障なく行うことができる。
【実施例】
【００１０】
図面は本発明に係るケーブル吊り下げ用螺旋状支持具の実施例を示し、図１は第一実施例の使用状態を示す略示正面図、図２は図１の略示側面図、図３は風圧が作用している状態を示す第一実施例の略示側面図、図４は風圧が作用している状態を示す従来例の略示側面図である。
【００１１】
図中、１は本発明に係る螺旋状支持具で、螺旋状支持具は鋼線を屈曲して構成した螺旋状杆体に耐候性の樹脂被膜を施すと共に、図２或いは図３で示すように、螺旋状の内側輪郭形が楕円形を成し、端部１ａ，１ａを楕円形の対称軸上より外れ、しかも、対称軸を中心とした対称位置に配して構成したものである。
【００１２】
この螺旋状支持具１は、従来例と同様に支持線２に巻回するようにして組付け、螺旋形内に挿通するようにして配してケーブル３を受支し、前記支持線３に沿って複数本のケーブル３，…を吊り下げ支持させてケーブル支持装置を構成するものである。
【００１３】
しかして、当該ケーブル支持装置が強風下におかれると、ケーブル３，…が風圧を受け、風圧を受ける方向に従って支持具１内を移動し、該移動に伴って支持具１は支持線２を中心に回動する。そして、最も風圧を受ける状態時に楕円形内の主直径側の、前記支持線２位置と相対する隅部にケーブル３，…は集まり、該ケーブル３，…が成す、風圧方向に対する直交面が受風面積となり、該受風面積は単にケーブル３，…を並べた場合と較べ、ケーブル３，…が風圧方向に積層した（図３）分狭くなるということができ、その分、耐風圧性の有るケーブル支持装置を得られるのである。
【００１４】
なお、第一実施例のように、螺旋状の内側輪郭形が楕円形を成すようにすると、受風時にケーブルの収束性が良く（一塊になりやすい）、占有率が広く挿通性が良いため多条のケーブル収容が見こまれるという利点も期待できるが、本発明は前記内側輪郭形が対称軸上に最長径部を備え（最長径部の一側において支持線に掛止されることになる）た、線対称形を成す螺旋形態のものであれば良く、例えば、第二実施例として示す図５および図６のような小判形のもの、図７および図８で示す三角形のもの（第三実施例）、図９および図１０で示す菱形のもの（第四実施例）図１１および図１２で示すひょうたん形のもの（第五実施例）、或いは、第六実施例として示す図１３および図１４のような卵形のもの等がある。
【００１５】
これらの対称軸上を最長径部とする対称形を成す内側輪郭形を備えた支持具は、第一実施例と同様の効果を期待できるが、第二実施例のものは、受風時にケーブルの収束性が良く（一塊になりやすい）、占有率が広く挿通性が良いため多条のケーブル収容が見込める、という効果も期待でき、第３実施例は支持線の位置ずれがなく、安定したケーブルの張架状態を得られ、第四実施例は第三実施例のように支持線の位置ずれがなく、受風時にケーブルの収束性が良い（一塊になりやすい）、という利点があり、第五実施例のひょうたん形は、支持線の位置ずれが少なく、受風時にケーブルの広がりが少ない、と効果を期待でき、第六実施例の場合は第五実施例と同様に支持線の位置ずれが少なく、受風時にケーブルの収束性が良く（一塊になりやすい）、占有率が広く挿通性が良いため多条のケーブル収容を見込むことができるのである。
【００１６】
第二乃至第六の各実施例の両端部は第一実施例と同様に対称軸を中心とした対称位置に存することは勿論である。
【図面の簡単な説明】
【００１７】
【図１】第一実施例の使用状態を示す略示正面図。
【図２】図１の略示側面図。
【図３】風圧が作用している状態を示す第一実施例の略示側面図。
【図４】風圧が作用している状態を示す従来例の略示側面図。
【図５】第二実施例の略示側面図。
【図６】風圧が作用している状態を示す第二実施例の略示側面図。
【図７】第三実施例の略示側面図。
【図８】風圧が作用している状態を示す第三実施例の略示側面図。
【図９】第四実施例の略示側面図。
【図１０】風圧が作用している状態を示す第四実施例の略示側面図。
【図１１】第五実施例の略示側面図。
【図１２】風圧が作用している状態を示す第五実施例の略示側面図。
【図１３】第六実施例の略示側面図。
【図１４】風圧が作用している状態を示す第六実施例の略示側面図。
【符号の説明】
【００１８】
１      螺旋状支持具
２      支持線
３      ケーブル
【図１】
2007049846.tif 000003
【図２】
2007049846.tif 000004
【図３】
2007049846.tif 000005
【図４】
2007049846.tif 000006
【図５】
2007049846.tif 000007
【図６】
2007049846.tif 000008
【図７】
2007049846.tif 000009
【図８】
2007049846.tif 000010
【図９】
2007049846.tif 000011
【図１０】
2007049846.tif 000012
【図１１】
2007049846.tif 000013
【図１２】
2007049846.tif 000014
【図１３】
2007049846.tif 000015
【図１４】
2007049846.tif 000016